(57)【要約】【課題】  洗浄水の噴射により食器等の洗浄を行う食器洗い機において、食器かごの操作性を向上し、かつ扉体の外観を損ねない高品質な食器洗い機を安価に実現する。【解決手段】  食器洗い機本体１３内に洗浄槽１４を設け、洗浄槽１４の前面開口部を開閉するように扉体１６を食器洗い機本体１３の下部に回動自在に軸支し、洗浄槽１４内に食器かご１５を引き出し自在に収納し、扉体１６開成時に扉体１６の上面に食器かご１５を引き出せるようにかご滑走部２１を食器かご１５に設ける。食器かご１５を引き出す際にかご滑走部２１が摺動する扉体１６の摺動面２２に、かご滑走部２１が摺動する方向にセレーションを施す。【選択図】  図１ 
2005087269.tif 000002
【特許請求の範囲】
【請求項１】
食器洗い機本体と、前記食器洗い機本体内に設けた洗浄槽と、前記洗浄槽の前面開口部を開閉するよう食器洗い機本体下部に回動自在に軸支された扉体と、前記洗浄槽内に引き出し自在に収納される食器かごと、前記扉体開成時に扉体上面に前記食器かごを引き出せるよう前記食器かごに設けたかご滑走部とを備え、前記食器かごを引き出す際に前記かご滑走部が摺動する扉体の摺動面に、前記かご滑走部が摺動する方向にセレーションを施した食器洗い機。
【請求項２】
扉体とかご滑走部の少なくとも一方を、高摺動グレードの材料で構成した請求項１記載の食器洗い機。
【請求項３】
扉体をかご滑走部よりも高硬度の材料で構成した請求項１記載の食器洗い機。
【請求項４】
扉体とかご滑走部の摺動面の少なくとも一方に、高摺動グレードの別部材を取り付けた請求項１記載の食器洗い機。
【請求項５】
扉体のかご滑走部が摺動する面に、かご滑走部よりも高硬度の別部材を取り付けた請求項１記載の食器洗い機。
【発明の詳細な説明】
【技術分野】
【０００１】
本発明は、洗浄水の噴射により食器等の洗浄を行う食器洗い機に関するものである。
【背景技術】
【０００２】
従来、この種の食器洗い機は、図５に示すように構成していた。以下、その構成について説明する。
【０００３】
図５に示すように、扉体１は、扉軸２を中心にして、食器洗い機本体３の下部に開閉自在に取り付けており、食器洗い機本体３の前面開口部を覆うよう構成している。扉体１の上部には、スイッチ４により解除されるロック手段５を設けており、閉成状態で保持できるよう構成している。また、食器洗い機本体３は、内部に洗浄槽６を設けており、この洗浄槽６の内部に食器かご７を収納している。食器かご７には、扉体１の開成時に扉体１の上面に食器かご７を引き出せるようかご滑走部８を設けている（例えば、特許文献１参照）。
【０００４】
食器洗い機の基本的な動作は、一般的によく知られているので、以下に簡単に述べると、使用者がスイッチ４によりロック手段５を解除し、扉体１を開放した後、食器かご７を扉体１の上面に引き出し、汚れた食器類９を食器かご７にセットして、食器かご７を洗浄槽６に再度収納する。
【０００５】
つぎに、扉体１を閉め、ロック手段５により扉体１を閉成状態に保持し、運転を開始すると、洗浄槽６の底部に配置したヒータ１０によって加熱された洗浄水が洗浄ノズル１１から食器類９に向かって噴射され、食器類９の汚れを落とす洗浄行程を行う。その後、食器類９をすすいだ後、食器類９を乾かす乾燥行程を行って運転が終了する。
【特許文献１】特開平１１−２９９７２０号公報
【発明の開示】
【発明が解決しようとする課題】
【０００６】
このような従来の構成では、食器かご７に食器類９がセットされていると、扉体１の上面への食器かご７の出し入れが重たく操作性が悪いという問題を有していた。
【０００７】
また、かご滑走部８の扉体１の上面との摺動面にバリやエッジ等がある場合に、扉体１の上面を傷つけてしまい外観を損ねるという問題を有していた。
【０００８】
また、図６に示すように、かご滑走部を車輪１２で構成すると、上述した問題は解決されるが、部品単価が高価になってしまうという問題を有していた。
【０００９】
本発明は上記従来の課題を解決するもので、食器かごの操作性を向上し、かつ扉体の外観を損ねない高品質な食器洗い機を安価に実現することを目的としている。
【課題を解決するための手段】
【００１０】
本発明は上記目的を達成するために、食器洗い機本体内に洗浄槽を設け、洗浄槽の前面開口部を開閉するように扉体を食器洗い機本体下部に回動自在に軸支し、洗浄槽内に食器かごを引き出し自在に収納し、扉体開成時に扉体上面に前記食器かごを引き出せるようにかご滑走部を食器かごに設け、食器かごを引き出す際にかご滑走部が摺動する扉体の摺動面に、かご滑走部が摺動する方向にセレーションを施したものである。
【００１１】
これにより、扉体上面への食器かごの出し入れ操作がスムーズにでき、また、かご滑走部の扉体上面との摺動面にバリやエッジがあっても、扉体の上面に傷が付きにくく、仮に傷が付いてもほとんど目立つことがなく外観を損ねることがなくなる。
【発明の効果】
【００１２】
本発明の食器洗い機は、扉体の上面への食器かごの出し入れ操作がスムーズにでき、かつ扉体の上面の外観を損ねることなく、高品質な食器洗い機を安価に実現することができる。
【発明を実施するための最良の形態】
【００１３】
第１の発明は、食器洗い機本体と、前記食器洗い機本体内に設けた洗浄槽と、前記洗浄槽の前面開口部を開閉するよう食器洗い機本体下部に回動自在に軸支された扉体と、前記洗浄槽内に引き出し自在に収納される食器かごと、前記扉体開成時に扉体上面に前記食器かごを引き出せるよう前記食器かごに設けたかご滑走部とを備え、前記食器かごを引き出す際に前記かご滑走部が摺動する扉体の摺動面に、前記かご滑走部が摺動する方向にセレーションを施したものであり、扉体の上面への食器かごの出し入れ操作がスムーズにでき、また、かご滑走部の扉体上面との摺動面にバリやエッジがあっても、扉体の上面に傷が付きにくく、仮に傷が付いてもほとんど目立つことがなく、外観を損ねない高品質な食器洗い機を実現することができる。
【００１４】
第２の発明は、上記第１の発明において、扉体とかご滑走部の少なくとも一方を、高摺動グレードの材料で構成したものであり、扉体の上面とかご滑走部の摺動抵抗を小さくすることができ、食器かごの出し入れ操作がスムーズな高品質な食器洗い機を実現することができる。
【００１５】
第３の発明は、上記第１の発明において、扉体をかご滑走部よりも高硬度の材料で構成したものであり、かご滑走部の扉体の上面との摺動面にバリやエッジがあっても、使用者の目に付く扉体上面には傷が付かず、製品の外観を損ねない高品質な食器洗い機を実現することができる。
【００１６】
第４の発明は、上記第１の発明において、扉体とかご滑走部の摺動面の少なくとも一方に、高摺動グレードの別部材を取り付けたものであり、単位質量あたりの単価が高価な高摺動グレードの材料の使用量を必要最小限に抑えることができ、安価に食器かごの出し入れ操作がスムーズな高品質な食器洗い機を実現することができる。
【００１７】
第５の発明は、上記第１の発明において、扉体のかご滑走部が摺動する面に、かご滑走部よりも高硬度の別部材を取り付けたものであり、単位質量あたりの単価が高価な高硬度の材料の使用量を必要最小限に抑えることができ、安価に扉体上面に傷が付かず製品の外観を損ねない高品質な食器洗い機を実現することができる。
【００１８】
以下、本発明の実施の形態について、図面を参照しながら説明する。なお、この実施の形態によって本発明が限定されるものではない。
【００１９】
（実施の形態１）
図１に示すように、食器洗い機本体１３は、内部に洗浄槽１４を設けており、この洗浄槽１４の内部に食器かご１５を収納している。洗浄槽１４の前方に開口部を設けており、この開口部は扉体１６で開閉自在に閉塞している。扉体１６は、洗浄槽１４の左右両側で固定枢軸１７によって回転自在に軸支している。
【００２０】
扉体１６には押しボタンスイッチ１８と、扉体１６を閉成状態に保持するロック手段１９とを設けており、押しボタンスイッチ１８と連動して、洗浄槽１４に設けた係止部２０からロック手段１９を解除できるよう構成している。扉体１６と洗浄槽１４の開口部は、弾性体で形成したシール部材（図示せず）によりシールしている。
【００２１】
食器かご１５の左右両側には、扉体１６開成時に、扉体１６の上面に食器かご１５を引き出せるようかご滑走部２１を設けており、扉体１６上面のかご滑走部２１との摺動面２２には、かご滑走部２１が摺動する方向にセレーションを施している。
【００２２】
上記構成において動作、作用を説明する。押しボタンスイッチ１８を作動し、ロック手段１９を解除することで、扉体１６を開放することができる。扉体１６を開放した後、図２に示すように、食器かご１５を扉体１６の上面に引き出し、汚れた食器類２３をセットする。この際、食器かご１５を扉体１６の上面に引き出す構成をとっていることで、食器類２３から垂れた汁等の汚物を扉体１６で回収することが可能となり、キッチンへの汁垂れを防止することができる。
【００２３】
食器類２３をセットし、食器かご１５を洗浄槽１４内へ収納する際、扉体１６上面のかご滑走部２１の摺動面２２に、かご滑走部２１が摺動する方向にセレーションを施していることで、かご滑走部２１と扉体１６上面の摺動面２２との摺動抵抗を軽減することができ、食器かご１５をスムーズに洗浄槽１４内に収納することができる。
【００２４】
以上のように、本実施の形態においては、食器かご１５を引き出す際に、扉体１６のかご滑走部２１が摺動する面に、かご滑走部２１が摺動する方向にセレーションを施したので、扉体１６の上面への食器かご１５の出し入れ操作がスムーズにでき、また、かご滑走部２１の扉体１６の上面との摺動面にバリやエッジがあっても、扉体１６の上面に傷が付きにくく、仮に傷が付いてもほとんど目立つことがなく、外観を損ねることがない。
【００２５】
（実施の形態２）
図３に示すように、扉体２４は、洗浄槽１４の前方に設けた開口部を開閉自在に閉塞している。かご滑走部２５は、食器かご１５の左右両側に設け、扉体２４開成時に、扉体２４の上面に食器かご１５を引き出せるよう構成しており、かご滑走部２５を高摺動グレードの材料で構成している。他の構成は上記実施の形態１と同じであり、同一符号を付して説明を省略する。
【００２６】
上記構成において作用を説明する。食器類２３をセットした食器かご１５を洗浄槽１４内へ収納する際、かご滑走部２５を高摺動グレードの材料としていることで、かご滑走部２５と扉体２４の上面の摺動面との摺動抵抗を軽減することができ、食器かご１５をスムーズに洗浄槽１４内に収納することができる。
【００２７】
以上のように、本実施の形態においては、かご滑走部２５を高摺動グレードの材料で構成しているので、扉体２４の上面とかご滑走部２５の摺動抵抗を小さくすることができ、食器かご１５の出し入れ操作をスムーズにすることができる。
【００２８】
なお、本実施の形態では、かご滑走部２５を高摺動グレードの材料で構成しているが、扉体２４を高摺動グレードの材料で構成してもよく、同様の作用、効果を得ることができる。
【００２９】
（実施の形態３）
図３に示す扉体２４は、かご滑走部２５よりも高硬度の材料で構成している。他の構成は上記実施の形態２と同じである。
【００３０】
上記構成において作用を説明する。食器類２３をセットした食器かご１５を洗浄槽１４内へ収納する際、扉体２４をかご滑走部２５よりも高硬度の材料で構成していることで、かご滑走部２５の扉体２４の上面との摺動面にバリやエッジがあっても、使用者の目に付く扉体２４の上面に傷が付くことはなく、製品の外観を損ねることがない。
【００３１】
以上のように、本実施の形態においては、扉体２４をかご滑走部２５よりも高硬度の材料で構成したので、かご滑走部２５の扉体２４の上面との摺動面にバリやエッジがあっても、使用者の目に付く扉体上面には傷が付かず、製品の外観を損ねない高品質な食器洗い機を実現することができる。
【００３２】
（実施の形態４）
図４に示すように、扉体２６は、洗浄槽１４の前方に設けた開口部を開閉自在に閉塞している。かご滑走部２７は、食器かご１５の左右両側に設け、扉体２６開成時に、扉体２６の上面に食器かご１５を引き出せるよう構成しており、扉体２６上面のかご滑走部２７との摺動面に、高摺動グレードの別部材２８を取り付けている。他の構成は上記実施の形態１と同じであり、同一符号を付して説明を省略する。
【００３３】
上記構成において作用を説明する。食器類２３をセットした食器かご１５を洗浄槽１４内へ収納する際、扉体２６のかご滑走部２７の摺動面に高摺動グレードの別部材２８を取付けていることで、食器かご１５を引き出すときの摺動抵抗を軽減することができ、食器かご１５をスムーズに洗浄槽１４内に収納することができる。
【００３４】
以上のように、本実施の形態においては、扉体２６上面のかご滑走部２７との摺動面に、高摺動グレードの別部材２８を取り付けているので、単位質量あたりの単価が高価な高摺動グレードの材料の使用量を必要最小限に抑えることができ、安価に食器かご１５の出し入れ操作をスムーズにすることができる。
【００３５】
なお、本実施の形態では、扉体２６上面のかご滑走部２７との摺動面に、高摺動グレードの別部材２８を取り付けているが、かご滑走部２７の摺動面に高摺動グレードの別部材を取り付けてもよく、同様の作用、効果を得ることができる。
【００３６】
（実施の形態５）
図４に示す扉体２６上面のかご滑走部２７との摺動面に取り付けている別部材２８を、かご滑走部２７よりも高硬度としている。他の構成は上記実施の形態４と同じである。
【００３７】
上記構成において作用を説明する。食器類２３をセットした食器かご１５を洗浄槽１４内へ収納する際、扉体２６のかご滑走部２７の摺動面に高硬度の別部材２８を取付けていることで、かご滑走部２７の扉体２６上面との摺動面にバリやエッジがあっても、使用者の目に付く扉体２６上面に傷が付くことはなく、製品の外観を損ねることがない。
【００３８】
以上のように、本実施の形態においては、扉体２６上面のかご滑走部２７との摺動面に、高硬度の別部材２８を取り付けているので、単位質量あたりの単価が高価な高硬度の材料の使用量を必要最小限に抑えることができ、安価に食器かご１５の出し入れ操作をスムーズにすることができる。
【産業上の利用可能性】
【００３９】
以上のように、本発明にかかる食器洗い機は、扉体の上面への食器かごの出し入れ操作がスムーズにでき、かつ扉体の上面の外観を損ねることなく、高品質な食器洗い機を安価に実現することができるので、洗浄水の噴射により食器等の洗浄を行う食器洗い機として有用である。
【図面の簡単な説明】
【００４０】
【図１】本発明の実施の形態１の食器洗い機の食器かごを洗浄槽内に収納した状態の斜視図
【図２】同食器洗い機の食器かごを扉体上面に引き出した状態の斜視図
【図３】本発明の実施の形態２の食器洗い機の食器かごを洗浄槽内に収納した状態の斜視図
【図４】本発明の実施の形態４の食器洗い機の食器かごを洗浄槽内に収納した状態の斜視図
【図５】従来の食器洗い機の一例の食器かごを洗浄槽内に収納した状態の側断面図
【図６】従来の食器洗い機の他の例の食器かごを洗浄槽内に収納した状態の側断面図
【符号の説明】
【００４１】
１３  食器洗い機本体
１４  洗浄槽
１５  食器かご
１６  扉体
２１  かご滑走部
２２  摺動面
【図１】
2005087269.tif 000003
【図２】
2005087269.tif 000004
【図３】
2005087269.tif 000005
【図４】
2005087269.tif 000006
【図５】
2005087269.tif 000007
【図６】
2005087269.tif 000008